(57)【要約】      （修正有）【課題】ストッパーで杖を階段に固定させ、かつ、弾性体によって、ストッパーから杖の先端までの長さを容易に調節することにより、杖の先端が階段に接することにより安定し、かつ安全に階段の上り下りができる杖を提供する。【解決手段】下端に接地部２ａを有する棒状部材２ｂ、棒状部材２ｂを覆うパイプ材２ｃとから成る本体部２と、本体部２に設けられ、階段の段部に引っかかる突起状のストッパー部３と、伸縮自在な弾性体部４とから構成され、パイプ材２ｃの下端と接地部２ａとの間に弾性体部４を備えている杖により、使用者が安全に階段の上り下りをすることができる。【選択図】図３
0003202309.tif 000002
【実用新案登録請求の範囲】
【請求項１】
下端に接地部を有する棒状部材、及び前記棒状部材を覆うパイプ材とから成る本体部と、
前記本体部に設けられ、階段の段部に引っかかる突起状のストッパー部と、
伸縮自在な弾性体部と、
から構成され、
前記パイプ材の下端と前記接地部との間に前記弾性体部を備えていることを特徴とする杖。
【請求項２】
前記本体部に松葉杖用握り部、及び脇当て部を更に有することを特徴とする、請求項１に記載の杖。
【請求項３】
前記脇当て部、及び前記本体部を、長さ調節部材によって接続することで松葉杖として使用可能な、請求項２に記載の杖。
【考案の詳細な説明】
【技術分野】
【０００１】
本考案は、歩行補助のための杖に関するものである。
【背景技術】
【０００２】
杖や松葉杖については、安全に、かつ快適に使用できるように様々な工夫が行われている。例えば、杖や松葉杖の接地時の衝撃を緩和させたり、階段を上る際に、杖や松葉杖が斜めになって滑りやすくなるのを防止することなどが挙げられる。
【０００３】
以下の特許文献１においては、杖や松葉杖の衝撃吸収手段としてスプリングを用いることによって、杖や松葉杖の接地部分が接地する度に生じる衝撃を吸収させる杖が開示されている。また、特許文献２においては、ストッパー状の接地部分を松葉杖の側面に設けて、当該ストッパー状の接地部分を階段の段部に接地させることにより、階段などの段差のある所での歩行を容易にできるようにした松葉杖が開示されている。
【先行技術文献】
【特許文献】
【０００４】
【特許文献１】特開２００９-１８３４３６号公報
【特許文献２】実開昭５６-１３０７３２号公報
【考案の概要】
【考案が解決しようとする課題】
【０００５】
しかし、上記特許文献１の杖においては、単に杖の先端部にスプリングが設けられている構造にすぎないため、階段を安全に上り下りするための工夫はなされていない。したがって、特許文献１に記載の杖を階段で用いる際は、杖が階段に固定されず不安定になり、使用者に安全上の問題が生じる。
【０００６】
また、上記特許文献２においては、松葉杖のストッパー状の接地部分が、通常の松葉杖の側面に固定されているのみである。よって、ストッパー状の接地部分から松葉杖の先端部分までの長さが階段の一段の高さを表す、蹴上げの長さより短い場合は、松葉杖の使用時に先端部分が、階段の足を乗せる部分である、踏み面に接することなく浮いてしまう。このように松葉杖の先端部分が踏み面に接さない場合は、階段での使用時において松葉杖が不安定になり、使用者が階段から滑落する危険性が生じる。
【０００７】
本考案は上記実情に鑑みて提案されたもので、杖を安定させ、安全に階段の上り下りを行うことができる杖を提供する。
【課題を解決するための手段】
【０００８】
上記目的を達成するために本考案の杖は、下端に接地部を有する棒状部材、及び前記棒状部材を覆うパイプ材とから成る本体部と、前記本体部に設けられ、階段の段部に引っかかる突起状のストッパー部と、伸縮自在な弾性体部と、から構成され、前記パイプ材の下端と前記接地部との間に前記弾性体部を備えていることを特徴とする。
【０００９】
また本考案は、前記本体部に松葉杖用握り部、及び脇当て部を更に有することを特徴とする。
【００１０】
また本考案は、前記脇当て部、及び前記本体部を、長さ調節部材によって接続することで松葉杖として使用可能なことを特徴とする。
【考案の効果】
【００１１】
すなわち、下端に接地部を有する棒状部材、及び棒状部材を覆うパイプ材とから成る本体部と、本体部に設けられ、階段の段部に引っかかる突起状のストッパー部と、伸縮自在な弾性体部と、から構成され、パイプ材の下端と接地部との間に弾性体部を備えている杖であることを特徴とするため、階段の上り下りを行う際に、ストッパーで杖を階段に引っ掛けて固定させ、かつ、弾性体を伸縮させることによって、ストッパーから杖の先端までの長さを容易に調節することにより、杖の先端が床面などに接するため杖が安定し、安全に階段の上り下りをすることができる。
【００１２】
本考案において、本体部に松葉杖用握り部、及び脇当て部を更に有することを特徴とするため、松葉杖用握り部を握り、脇当て部に脇を当てることで本考案を松葉杖としても使用することができる。したがって、当該松葉杖を使用して階段の上り下りをする際に、ストッパーで松葉杖を階段に固定させ、かつ、弾性体を伸縮させることによって、ストッパーから松葉杖の先端までの長さを容易に調節することにより、松葉杖の先端が床面などに接するため松葉杖が安定し、安全に階段の上り下りを行うことができる。
【００１３】
本考案において、脇当て部、及び本体部を、長さ調節部材によって接続することで松葉杖として使用可能なことを特徴とするため、使用者の身長に応じて、松葉杖の長さを、長さ調節部材を用いて調節することで、使いやすい状態で快適に松葉杖を使用することができる。
【図面の簡単な説明】
【００１４】
【図１】本考案の第１の実施形態に係る杖を説明する全体図である。
【図２】本考案の第１の実施形態に係る杖の使用状態を示す図である。（ａ）は、本考案の第１の実施形態に係る杖の使用前の状態を表す図であり、（ｂ）は使用中の状態を表す図である。
【図３】本考案の第２の実施形態に係る杖を説明する図である。（ａ）は、長さ調節部材７を説明する図であり、（ｂ）は、本考案の第２の実施形態に係る杖を説明する全体図である。
【図４】本考案の第２の実施形態に係る杖の使用状態を示す図である。（ａ）は、本考案の第２の実施形態に係る杖の使用前の状態を表す図であり、（ｂ）は使用中の状態を表す図である。
【考案を実施するための形態】
【００１５】
以下、本考案に係る実施形態を図面とともに説明する。
【００１６】
図１に基づいて、本考案に係る杖１の第１の実施形態について説明する。ここでは、本考案の実施形態に係る杖１を実施する場合について述べる。
【００１７】
なお、以下の説明において、特に言及がない限り、「下端」は本考案の実施形態に係る杖１の接地側を意味し、「上端」は杖１を握る側を意味する。
【００１８】
杖１の細長い棒状部分である本体部２は、地面に接する部分である接地部２ａと、下端に当該接地部２ａが固定された棒状部材２ｂと、当該棒状部材２ｂを覆うパイプ材２ｃとから構成される。
【００１９】
ここで、接地部２ａは、硬質ゴムなど滑り止め用のゴムなどにより構成されている。また、棒状部材２ｂは木材から構成されるが、特に材料は限定されず、例えば鉄などの金属であっても良い。また、当該棒状部材２ｂは、棒状部材２ｂの先端から約５ｃｍ〜約６ｃｍの部分を除いて、パイプ材２ｃによって覆われている。パイプ材２ｃは下端に、弾性体部４が通るぐらいの直径４ｍｍほどの穴（図示せず）が空いている。ここで、パイプ材２ｃは、円筒状の金属パイプから構成されるが、形状及び材料は特に限定されない。
【００２０】
階段の段部に引っかかる構造を有するストッパー部３は、本体部２のパイプ材２ｃに設けられている。ここで、ストッパー部３のパイプ材２ｃへの設置個所は、杖１の先端から高さ１８ｃｍの位置となる。すなわち、杖１の接地部２ａを階段の踏み面に置いた際、上段の段部の踏み面にストッパー部３が接した状態、あるいは当該上段の段部の踏み面より上にストッパー部３が位置している状態となる。なお、ストッパー部３として、Ｌ字型のストッパーがここでは用いられているが、突起状であって階段の段部に引っかかるものであれば形状は何でもよい。
【００２１】
伸縮自在な圧縮コイルばねから成る弾性体部４については、パイプ材２ｃの下端に設けた穴（図示せず）に、当該弾性体部４の上端を通して固定し、接地部２ａに当該弾性体部４の下端が固定されている。ここで、弾性体部４については、伸縮自在であれば特に種類は問わない。また、弾性体部４をパイプ材２ｃ、及び接地部２ａにそれぞれ固定する方法も、しっかりと固定されていれば特に方法は問わない。
【００２２】
本考案の実施形態に係る杖１を松葉杖として用いる際、脇当て部６を脇当てとして使用した場合に手で握る部分となる松葉杖用握り部５は、使用者が握りやすい位置、すなわち本体部２のパイプ材２ｃの略上端側に設置されている。握り部５は、手で握りやすく、体重をかけても安定して握ることができるように形成されている。また、松葉杖用握り部５と、パイプ材２ｃとの接合箇所内の下端側において、外から見えないようにゴム製のストッパー（図示せず）が設置されている。このゴム製のストッパーにより、松葉杖用握り部５はパイプ材２ｃに沿って上端側には移動するものの、使用者が体重をかけても下端側には移動しない。また、松葉杖用握り部５は床面と平行方向に３６０°回転する。なお、本考案の実施形態に係る杖１を松葉杖として用いる場合については、後述する。
【００２３】
杖１の使用時には、握り手となる脇当て部６は、使用者が実際に手で握る部分であるグリップ部６ａと、当該グリップ部６ａを支持するために接続された棒状部材である支持部６ｂとから構成され、略Ｔ字状になっている。グリップ部６ａは、手で握りやすい曲線的な形状に形成されている。ここで、脇当て部６は、パイプ材２ｃの後端側から支持部６ｂを挿入することにより、本体部２に接続される。なお、脇当て部６は、パイプ材２ｃから取り外し可能である。ここで、脇当て部６をパイプ材２ｃから取り外し、パイプ材２ｃの上端にゴム製のキャップを取り付け、松葉杖用握り部５を握り手として杖１を用いても良い。
【００２４】
図２に基づいて、本考案の第１の実施形態に係る杖１を使用する状態を説明する。
【００２５】
図２（ａ）において、階段９を上ろうとしている使用者８は、蹴上げ１１部分の寸法が１６ｃｍである階段９の踏み面１０ａに、杖１の接地部２ａを置く。この時、使用者８の足も踏み面１０ａ上に置かれている。ストッパー部３と階段９の上段の踏み面１０ｂとの間には２ｃｍの隙間があり、杖１は階段９に固定されていない状態である。
【００２６】
図２（ｂ）において、使用者８が階段９を上って、上段の踏み面１０ｂに足を置く時に、杖１の先端に向かってグリップ部６ａを手で押圧すると、本体部２のパイプ材２ｃが押し下げられて、パイプ材２ｃに固定された弾性体部４が収縮することにより、パイプ材２ｃに設けられたストッパー部３も押し下げられて踏み面１０ｂに接し、階段９の段部に引っかかる。したがって、接地部２ａも踏み面１０ａに接していることとあいまって、杖１が階段９の段部に固定されて安定する。
【００２７】
その後、使用者８は、グリップ部６ａを手で押圧した状態で反対側の足を踏み面１０ｂに上げる。このように、使用者８は、杖１を通常の杖として用いて安全に階段を上ることができる。
【００２８】
第１の実施形態の効果を以下に説明する。第１の実施形態においては、上述したように、突起状のストッパー部３が杖１の先端から１８ｃｍの位置に設けられている。ここで、階段９の蹴上げ１１で表されている蹴上げ部分の寸法は建築基準法施行令によって定められており、例えば小学校の児童用は１６ｃｍ以下、中学校、高等学校の生徒用、劇場、及び物販店舗は１８ｃｍ以下であり、１６ｃｍ、１７ｃｍ、１８ｃｍであることが多い。したがって、蹴上げ部分が１８ｃｍの階段で杖１を使用する場合、突起状のストッパー部３が階段の上段の段部に引っかかり、接地部２ａが階段の下段の踏み面に接する。
【００２９】
しかし、杖１の先端からストッパー部３までの高さが、階段の蹴上げ部分の寸法と一致しない場合でも、本実施形態の杖１においては、ストッパー部３が階段の段部に引っかかって固定され、かつ接地部２ａが階段の下段の踏み面に接する。よって、ストッパー部３と接地部２ａとの双方が階段に接していることにより、使用者による圧力がかかっても杖１が安定し、安全に階段の上り下りをすることができる。
【００３０】
次に、図３に基づいて、本考案に係る杖２０の第２の実施形態について説明する。ここでは、本考案の実施形態に係る杖２０を松葉杖として実施する場合について述べる。なお、以降の説明では上記第１の実施形態と異なる点についてのみ説明し、同じ点については、同一参照符号を付し、その説明を省略する。
【００３１】
図３（ａ）において、杖２０の長さを調整するために脇当て部６に対して用いられる長さ調節部材７は、第１の長さ調節部材７ａと、第２の長さ調節部材７ｂと、第３の長さ調節部材７ｃと、第４の長さ調節部材７ｄとの組み合わせから構成される。例えば、第１の長さ調節部材７ａと、第２の長さ調節部材７ｂと、第３の長さ調節部材７ｃとの３つを長さ調節部材７として用いても良いし、第１の長さ調節部材７ａから第４の長さ調節部材７ｄの４つ全てを長さ調節部材７として用いても良い。
【００３２】
ここで、第１の長さ調節部材７ａ、第２の長さ調節部材７ｂ、第３の長さ調節部材７ｃ、及び第４の長さ調節部材７ｄは、それぞれ円筒状である。第１の長さ調節部材７ａと第２の長さ調節部材７ｂの長さは同じであり、第３の長さ調節部材７ｃは、第１の長さ調節部材７ａと第２の長さ調節部材７ｂの長さより長い。さらに、第４の長さ調節部材７ｄは、第３の長さ調節部材７ｃより長いが、長さ調節部材７の形状、及び材料については特に限定されない。また、長さ調節部材７を構成するそれぞれの長さ調節部材の個数は特に限定されない。
【００３３】
図３（ｂ）において、まず脇当て部６をパイプ材２ｃから取り外して、第１の長さ調節部材７ａと、第２の長さ調節部材７ｂと、第３の長さ調節部材７ｃとで構成される長さ調節部材７の円筒状の穴部分をそれぞれ支持部６ｂの上端側に嵌め込んで取り付ける。さらに、当該長さ調節部材７が嵌め込まれた支持部６ｂの下端側をパイプ材２ｃの上端側から挿入して接続する。すると、長さ調節部材７の分だけグリップ部６ａの位置が高くなるため、杖２０全体の長さを調整することができる。なお、ここで杖２０の長さの調節のため、第４の長さ調節部材７ｄを、更に支持部６ｂに嵌め込んでも良い。
【００３４】
したがって、使用者は、グリップ部６ａに脇部分を当て、松葉杖用握り部５を手で握ることにより杖２０を松葉杖として使用することができる。
【００３５】
図４に基づいて、本考案の第２の実施形態に係る杖２０を使用する状態を説明する。
【００３６】
図４（ａ）において、階段を下りようとしている松葉杖の使用者８は、蹴上げ１１部分の寸法が１６ｃｍである階段９の踏み面１０ａに、杖２０の接地部２ａを置く。この時、使用者８の足は上段の踏み面１０ｂ上に置かれている。ストッパー部３と階段９の踏み面１０ｂとの間には２ｃｍの隙間があり、杖２０は階段９に固定されていない状態である。
【００３７】
図４（ｂ）において、使用者８は杖２０のグリップ部６ａに脇部分を当て、握り部５を手で握っている。使用者８が足を下段の踏み面１０ａに下ろす時に、杖１の先端に向かってグリップ部６ａを使用者８の脇部分で押圧すると、本体部２のパイプ材２ｃが押し下げられて、パイプ材２ｃに固定された弾性体部４が収縮することにより、パイプ材２ｃに設けられたストッパー部３も押し下げられて踏み面１０ｂに接し、階段９の段部に引っかかる。したがって、接地部２ａも下段の踏み面１０ａに接していることとあいまって、杖２０が階段９の段部に固定されて安定する。
【００３８】
その後、使用者８は、グリップ部６ａを脇部分で押圧した状態で、反対側の足を下段の踏み面１０ａに下ろす。このように、使用者８は、杖２０を用いて安全に階段を下りることができる。なお、杖２０は松葉杖として使用されているため、１本で用いることもできるし、もちろん２本で用いても良い。
【００３９】
第２の実施形態の効果を以下に説明する。第２の実施形態である杖２０を使用する場合でも、第１の実施形態と同様に、ストッパー部３が階段の段部に引っかかって固定され、かつ接地部２ａが階段の下段の踏み面に接する。よって、ストッパー部３と接地部２ａの双方が階段に接していることにより、使用者による圧力がかかっても杖２０が安定し、使用者は杖２０を用いて安全に階段の上り下りをすることができる。
【００４０】
また、長さ調節部材７の個数を調節することや、様々な長さの長さ調節部材７を用いることにより、使用者の身長に応じて杖２０の長さを自由に調整することができる。
【００４１】
以上、本考案に係る実施形態について説明したが、本考案はかかる実施形態に限定されるものではなく、その要旨を逸脱しない範囲で種々なる態様で実施し得ることは言うまでもない。例えば、折り畳み式の杖などであっても良い。
【符号の説明】
【００４２】
１、２０  杖
２    本体部
２ａ  接地部
２ｂ  棒状部材
２ｃ  筒状のパイプ材
３    ストッパー部
４    弾性体部
５    松葉杖用握り部
６    脇当て部
６ａ  グリップ部
６ｂ  支持部
７    長さ調節部材
７ａ  第１の長さ調節部材７ａ
７ｂ  第２の長さ調節部材７ｂ
７ｃ  第３の長さ調節部材７ｃ
７ｄ  第４の長さ調節部材７ｄ
８  使用者
９  階段
１０ａ、１０ｂ  踏み面
１１  蹴上げ
【図１】
0003202309.tif 000003
【図２】
0003202309.tif 000004
【図３】
0003202309.tif 000005
【図４】
0003202309.tif 000006